【手続補正書】
【提出日】平成17年7月13日(2005.7.13)
【手続補正１】
【補正対象書類名】明細書
【補正対象項目名】全文
【補正方法】変更
【補正の内容】
【書類名】明細書
【発明の名称】体液吸収性物品
【特許請求の範囲】
【請求項１】身体の肌に面する側に設けられた液透過性の表面層、身体の肌から遠ざかる側に設けられた防漏層、および両者の間に設けられた、少なくとも排泄部位を含む表面方向に沿う主吸収範囲と対応する体液吸収性部を有し、
前記体液吸収性部内に、体液の吸収保持機能および体液との接触による収縮機能を有する吸収材を有し、かつその所定部位を物品に対して固定してなる吸収性物品であって、
前記吸収材は、その収縮方向に沿う収縮範囲に、体液との接触により収縮する糸状または紐状の収縮性材を有し、この収縮性材は少なくとも前記吸収材の収縮範囲の両端部に、当該収縮性材の収縮力よりも強い接着力をもって接着固定されている、
ことを特徴とする体液吸収性物品。
【請求項２】身体の肌に面する側に設けられた液透過性の表面層、身体の肌から遠ざかる側に設けられた防漏層、および両者の間に設けられた、少なくとも排泄部位を含む表面方向に沿う主吸収範囲と対応する体液吸収性部を有し、
前記体液吸収性部内に、体液の吸収保持機能および体液との接触による収縮機能を有する吸収材を有し、かつその所定部位を物品に対して固定してなる吸収性物品であって、
前記吸収材は細長状をなし、物品前後方向に沿って配置され且つ物品幅方向に三本以上並設されており、各前記吸収材は、長手方向一端部のみが物品に対して固定され、他端部は自由端部とされており、かつ
前記吸収材は、その長手方向に沿って一端部から他端部まで、体液との接触により１０Ｎ以上の収縮力で収縮する糸状または紐状の収縮性材が延在されるとともに、この収縮性材が少なくとも前記吸収材の両端部に１０Ｎよりも強い接着力をもって接着固定されている、
ことを特徴とする体液吸収性物品。
【請求項３】前記収縮性材が体液を吸収し膨潤する繊維集合材であり、前記接着が、人工尿で湿潤した後３０分経過した時の接着力が１０Ｎよりも強い接着剤によりなされている、請求項１または２記載の体液吸収性物品。
【請求項４】前記収縮性材が体液を吸収し膨潤する繊維集合材であり、前記接着が、前記繊維間に浸透する接着剤によりなされている、請求項１〜３のいずれか１項に体液吸収性物品。
【請求項５】前記接着が、使用時の粘度が５００ｃｐ以下である液状接着剤によりなされている、請求項１〜３のいずれか１項に記載の体液吸収性物品。
【発明の詳細な説明】
【０００１】
【発明の属する技術分野】
本発明は、体液を吸収処理する、使い捨ての紙おむつ、生理用ナプキンなどの体液吸収性物品に関する。
【０００２】
【従来の技術】
この種の体液吸収性物品は、基本的に、身体の肌に面する側に設けられた液透過性の表面層、身体の肌から遠ざかる側に設けられた防漏層、および両者の間に設けられた体液吸収性部を有する。
【０００３】
この場合における、体液吸収性部の構成は、種々のものが知られているが、吸収性素材として、高吸収性ポリマー、綿状パルプ（フラッフパルプ）、クレープ紙などの吸収紙を主としている。近年の高吸収性ポリマー技術の進展に伴い、より薄型化した体液吸収性部の形成が可能となり、したがって製品の吸収部分の身体へのフィット性が向上し、モレが少なくなってきている。
【０００４】
この製品の吸収特性の改善は、需要者にとって、薄型でありながら、吸収容量が大きく、さらに長時間の着用にも耐えるさらに新たな製品開発の要求となってあらわれる。
【０００５】
しかるに、この要求を満たすためには、例えば、尿の場合であっては多数回の排尿量のすべてを体液吸収性部が吸収しなければならない。しかし、排尿が繰り返えされるごとに体液吸収性部の吸収速度は遅くなり、特に体液吸収性部の長手方向端部まで体液が吸収されないことが多い。この原因としては、体液の縦方向（製品の長手方向）への拡散が十分でないこと、高吸収性ポリマーの膨潤による拡張濡れが阻害されるいわゆるゲルブロッキング現象が起こるためとされている。
【０００６】
これらの現象を解決する手法として、特表２０００−５１００３１号公報、及び特表２０００−５１００３３号公報などの縦方向への濡れ拡がりを助ける技術、特表２０００−５１００３１号公報、特表２０００−５１００３３号公報などの高吸収性ポリマーのゲルブロッキングを防ぐ技術、高吸収性ポリマーの形状や組み込みの工夫、濡れによって膨潤する空間を確保する方法などが提案されている。
【０００７】
しかしいずれの方法を用いても、十分な解決策となっていない。この原因を改めて検討すると、従来の体液吸収性物品の体液吸収性部は縦長とし製品の長手方向に沿って配置し、体液排出部位が体液吸収性部のほぼ中心に位置するように設計し、排出部位からの体液は長手方向端部まで濡れ拡がる（拡散する）であろうことを前提としていた。したがって、体液の長手方向拡散が十分でない限り、本質的に、体液吸収性部全体で体液を吸収することはできない。
【０００８】
他方、かかる問題点に対して、本出願人は、体液吸収性部内での体液の拡散には限界があることを踏まえ、吸収材が体液との接触により収縮し移動することにより、排泄部位と対応する吸収材部分が更新されるように構成した体液吸収性物品およびその改良技術について種々の提案をしている。例えば、特願２００１−２６９１４号、特願２００１−１４８１３１号、特願２００１−３３１５６３号、特願２００１−３３１５６４号、特願２００１−３１２７６５号、特願２００１−２２６５０７号、特願２００１−２４１９１２号、特願２００２−２６４４０号がこれに該当する。かかる先行技術によれば、吸収材全体を有効的に利用し、全体としてみれば、吸収容量が大きく、さらに複数回の体液吸収が十分に可能であり、長時間の着用にも耐え得る体液吸収性物品となる。
【０００９】
そして、上記先行例では、吸収材の具体例として、体液との接触により収縮する糸状または紐状の収縮性材を一体的に備えたものを提案した。具体的には、収縮性材は、吸収材の収縮方向に沿う収縮範囲の少なくとも両端部には接着固定されており、これによって収縮性材の収縮に伴って吸収材が収縮されるようになっている。
【００１０】
【発明が解決しようとする課題】
しかし、収縮性材の接着に関して、この種の吸収性物品の分野で一般に使用されている接着剤をいろいろと試してみたところ、収縮性材の収縮力が強すぎるために、収縮性材が吸収材から分離してしまうという問題点があることが判明した。これでは、上記のような吸収材の移動・更新が確実に行われない。
【００１１】
そこで、本発明の主たる課題は、収縮性材が吸収材から分離せず、吸収材の移動・更新が確実に行われるようにすることにある。
【００１２】
【課題を解決するための手段】
上記課題を解決した本発明は次記のとおりである。
＜請求項１記載の発明＞
身体の肌に面する側に設けられた液透過性の表面層、身体の肌から遠ざかる側に設けられた防漏層、および両者の間に設けられた、少なくとも排泄部位を含む表面方向に沿う主吸収範囲と対応する体液吸収性部を有し、
前記体液吸収性部内に、体液の吸収保持機能および体液との接触による収縮機能を有する吸収材を有し、かつその所定部位を物品に対して固定してなる吸収性物品であって、
前記吸収材は、その収縮方向に沿う収縮範囲に、体液との接触により収縮する糸状または紐状の収縮性材を有し、この収縮性材は少なくとも前記吸収材の収縮範囲の両端部に、当該収縮性材の収縮力よりも強い接着力をもって接着固定されている、
ことを特徴とする体液吸収性物品。
【００１３】
（作用効果）
吸収材が収縮性材によって収縮するとき、収縮性材における吸収材と接着一体化されている部分には、収縮性材の収縮力が作用し、これ以上の力は作用しない。しかるに、この種の体液吸収性物品の分野で使用される接着剤は、この収縮力に確実に耐え得ない。本発明では、収縮性材を少なくとも吸収材の収縮範囲の両端部に、当該収縮性材の収縮力よりも強い接着力をもって接着固定することで、接着部に収縮性材の収縮力が作用しても接着が外れず、もって吸収材の移動・更新をより確実に行うことができる。
【００１４】
＜請求項２記載の発明＞
身体の肌に面する側に設けられた液透過性の表面層、身体の肌から遠ざかる側に設けられた防漏層、および両者の間に設けられた、少なくとも排泄部位を含む表面方向に沿う主吸収範囲と対応する体液吸収性部を有し、
前記体液吸収性部内に、体液の吸収保持機能および体液との接触による収縮機能を有する吸収材を有し、かつその所定部位を物品に対して固定してなる吸収性物品であって、
前記吸収材は細長状をなし、物品前後方向に沿って配置され且つ物品幅方向に三本以上並設されており、各前記吸収材は、長手方向一端部のみが物品に対して固定され、他端部は自由端部とされており、かつ
前記吸収材は、その長手方向に沿って一端部から他端部まで、体液との接触により１０Ｎ以上の収縮力で収縮する糸状または紐状の収縮性材が延在されるとともに、この収縮性材が少なくとも前記吸収材の両端部に１０Ｎよりも強い接着力をもって接着固定されている、
ことを特徴とする体液吸収性物品。
【００１５】
（作用効果）
生理用ナプキンや紙おむつ等の体液吸収性物品は、一般に腹側から背側に至る前後方向がこれと直交する物品幅方向よりも長い構成を有している。したがって、吸収材を効率良く移動し利用するためには、吸収材は物品長手方向に沿って配設するのが好ましく、また同様の理由により吸収材は長手方向一端部（腹側端部または背側端部）のみが物品に対して固定され、他端部は自由端部とされているのが好ましい。
【００１６】
また、吸収材の収縮力は、吸収材を移動するための原動力である。これまでに研究したところによれば、吸収材の効率良い移動を達成するためには、吸収材は１本あたり１０Ｎ以上の体液吸収時収縮力を有しているのが好ましいことが判明している。
【００１７】
本請求項２記載の発明は、かかる体液吸収性物品を対象として、本発明の接着技術を適用したものである。
【００１８】
＜請求項３記載の発明＞
前記収縮性材が体液を吸収し膨潤する繊維集合材であり、前記接着が、人工尿で湿潤した後３０分経過した時の接着力が１０Ｎよりも強い接着剤によりなされている、請求項１または２記載の体液吸収性物品。
【００１９】
（作用効果）
本発明で好適に使用される収縮性材としては、ポリビニルアルコール系長繊維からなるものやセルロース系短繊維をカルボキシメチル化したものを使用した糸がある。これらは親水性繊維であり、体液を吸水し膨潤する繊維集合材である。本発明者らが鋭意研究したところによると、収縮性材が吸収材に対する接着部から外れる原因の殆どが、かかる収縮性材の物性に起因するものであった。
【００２０】
すなわち、収縮性材の外れを防止するためには、もちろん接着剤自体の強度が必要とされる。しかし、本発明における収縮性材は体液と接触されることを予定されたものであり、その収縮性材が体液を吸収し膨潤してしまうと、接着界面の一方が膨張移動することにより接着力が無くなる結果、接着部から収縮性材がすっぽりと簡単に抜けてしまう（以下、「素抜け」ともいう）のである。
【００２１】
本請求項３記載の発明は、かかる研究結果を踏まえたものであり、人工尿で湿潤した後３０分経過した時の接着力を考慮することで、上記素抜けを防止するものである。
【００２２】
＜請求項４記載の発明＞
前記収縮性材が体液を吸収し膨潤する繊維集合材であり、前記接着が、前記繊維間に浸透する接着剤によりなされている、請求項１〜３のいずれか１項に体液吸収性物品。
【００２３】
（作用効果）
上記素抜けに関してさらに研究したところ、この種の体液吸収性物品の分野で使用されてきた接着剤を用いると、その大部分が繊維間に浸透せずに収縮性材の表面を覆うドーム状形態で接着機能を果たしていた。これでは、収縮性材が膨潤したときにすっぽりと抜けてしまいやすい。よって、本請求項４記載のように、繊維間に浸透する接着剤を用いることで、接着剤の収縮性材に対する食い付きを良くし、素抜けを効果的に防止できるようになる。
【００２４】
＜請求項５記載の発明＞
前記接着が、使用時の粘度が５００ｃｐ以下である液状接着剤によりなされている、請求項１〜３のいずれか１項に記載の体液吸収性物品。
【００２５】
（作用効果）
かかる接着剤を用いることによって、吸収材からの収縮性材の外れ・抜けを効果的に防止できる。特に収縮性材が体液を吸収し膨潤する繊維集合材である場合には、化学反応型接着剤、なかでも東亜合成（株）社製の商品名アロンアルファが好適である。この接着剤は、固化前は粘度が４０ｃｐ以下であり非常に粘性が低く、水分吸収により固化し、固化した後は殆ど変形せず、また非常に接着強度が高い。よって、収縮性材の繊維間に良く浸透し、繊維を強固に拘束するため、繊維の膨潤に対しても強く、素抜けを起こし難い。
【００２６】
【発明の実施の形態】
以下、本発明の実施の形態を図面を参照しながらさらに詳説する。
なお、本発明は使い捨ての紙おむつ、生理用ナプキンなどの体液吸収性物品一般に適用されるが、おむつ使用時（装着時）に背側の左右両側部を腹側の左右両側部に持ち込み、これらをテープファスナー（粘着剤テープファスナー及び面ファスナーを含む）により接合するタイプのいわゆるテープ式紙おむつに対する適用例を説明すれば、パンツ型使い捨ておむつやパッド型使い捨て吸収性物品での実施の形態や、生理用ナプキンでの実施の形態も直ちに推測できると思われるので、後二者の例についてはその説明を省略する。
【００２７】
図１〜図３は、本発明を適用した使い捨ておむつの例を示している。この使い捨ておむつは、身体の肌に面する側に設けられた液透過性の不織布シート、あるいは孔開きフィルムシートなどからなり、着用者の肌に直接触れる長方形の表面層２、身体の肌から遠ざかる側に設けられたポリエチレンプラスチックフィルムなどからなる長方形の不透液性バックシートなどからなる防漏層３、および両者の間に設けられた、少なくとも排泄部位Ｚを含む表面方向に沿う主吸収範囲と対応する体液吸収性部１を有する。
【００２８】
さらに、防漏層３より裏面側たる製品の裏面側には、可撓性の外形シート４を有し、この外形シート４は１枚の不織布または複数枚の通気・撥水性の不織布を積層固定したものからなる。
【００２９】
製品の両側部には、使用面側に突出する脚周り起立カフスＣ，Ｃがそれぞれ形成され、この起立カフスＣは、実質的に幅方向に連続した起立シート８と、たとえば糸ゴムからなる一本のまたは複数本の伸縮部材９とにより構成されている。さらに詳細には、起立カフスＣは、起立シート８を二重にして形成され、伸縮部材９を包んでホットメルト接着剤などにより固着した状態で形成されたものである。各起立カフスＣ，Ｃを形成する起立シート８は、透液性でなく不透液性もしくは疎水性であるのが望ましい。また、不織布などの透液性シートに対してシリコン処理などにより液体をはじく性質となるようにしてもよい。さらに、通気もしくは蒸気透過性を有しているのが望ましい。起立シート８の間に不透液性フィルムシートを挟み込み、さらに防漏性を高めることができる。
【００３０】
二重の起立シート８の内面は、表面層２及び外形シート４にホットメルト接着剤などにより固着されている。その結果、二重の起立シート８のこの固着始端は、起立カフスＣの起立端を形成している。この起立端より先端側は、製品本体に固定されていない自由部分である。
【００３１】
二重の起立シート８の長手方向前後端部は、ホットメルト接着剤などにより、自由部分がその先端を物品の中央側に向かう状態で物品に、具体的には表面層２外面に固定されている。左右の起立カフスＣ，Ｃで囲まれる空間は、尿または軟便の閉じ込め空間を形成する。この空間内に排尿されると、その尿は透液性表面層２を通って体液吸収性部１内に吸収されるとともに、軟便の固形分については、起立カフスＣがバリヤーとなり、その乗り越えが防止される。
【００３２】
他方、前身頃及び後身頃の長手方向端部において、ウエスト部における外形シート４の不織布間に、ウエスト周りのフィット性を高めるために、ウエスト開口部の端縁に平行に間隔を置いて細い糸ゴムからなるウエスト伸縮部材１０，１０…を配置し、これらが伸縮するように伸長下にホットメルト接着剤などにより固定されている。ウエスト伸縮部材１０，１０…の間隔および本数は適宜定めることができるが、例えば間隔としては４〜８ｍｍ程度、本数としては３〜１０本程度が好ましい。符号１１は背側の左右両側部を腹側の左右両側部に持ち込み、接合するためのテープファスナーを示している。
【００３３】
本発明が対象とするおむつは、排泄部位Ｚを含む体液吸収性部１内に、体液の吸収保持機能および体液との接触による収縮機能を有する吸収材２５（具体例については後述する）を有し、この吸収材２５の所定部位が物品に対して固定されたものである。固定部は後述の図６に符号３０で示されている。体液吸収性部１は、排泄部位Ｚを含む表面方向に沿う主吸収範囲であり、この限りにおいて任意に設定できるものであるが、通常は、物品長手方向の５０〜１００％程度の長さを有し、物品股間幅の７０％以上の幅を有する矩形範囲である。
【００３４】
本実施形態では、図４〜図６に示すように、吸収材２５は、体液吸収性部１と略同じか若干短い程度の長さを有する細長帯状をなし、物品前後方向に沿って腹側から背側まで延在され且つ物品幅方向に三本並設されており、中央の吸収材２５は排泄部位Ｚと対応する部分を有するように配置され、両側の吸収材２５，２５は排泄部位Ｚと対応する部分を有しない位置に配置されており、さらに、各吸収材２５は、長手方向一端部３０のみが物品に対して、ホットメルト接着剤等の接着剤やヒートシール等の接合手段等により固定され、他端部は自由端部とされている。図示形態では、背側に吸収材２５を移動させるために固定部３０も背側にのみ設けているが、腹側に吸収材２５を移動させたい場合には、腹側にのみ設けることもできる。このように、本発明の固定部３０は吸収材２５の移動先となる任意の位置に設けることができるものである。
【００３５】
本発明における吸収材２５は、「体液の吸収保持機能および体液との接触による収縮機能を有し、その収縮方向に沿う収縮範囲に、体液との接触により収縮する糸状または紐状の収縮性材を有する」ものであり、この例として「体液との接触により収縮する所定長さの収縮性材と、この収縮性材に対して実質的に一体化されている体液吸収性材とからなるもの」がある。さらにこの例は、体液吸収性材が「高吸収性ポリマー及びこれを保持する担体からなるもの」と、「体液吸収性材が高吸収性を有する素材のみからなるもの」とに大別される。
【００３６】
本実施形態の吸収材２５は、これらの中の「体液との接触により収縮する所定長さの収縮性材と、この収縮性材に対して実質的に一体化されている体液吸収性材とからなり、且つ体液吸収性材が高吸収性ポリマー及びこれを保持する担体からなるもの」に該当するものである。
【００３７】
より詳細には図５に示すように、長手方向に多数の隔室ｒ，ｒ…を有する細長状の袋状担体（以下、単に袋体という）２６Ｂと、各隔室内に封入された高吸収性ポリマー２６Ａとからなる体液吸収性材２６と、この体液吸収性材２６に一体化された収縮性材２７とにより、細長状吸収材２５が形成されている。かかる袋体２６Ｂの隔室形成手法としては、例えば一対の透液性シートｓｔ，ｓｔを重ねて、袋体周縁部や隔室周囲部等の所定部位を、ホットメルト接着剤による接着、超音波溶着またはヒートシールにより接合する方法を推奨する。
【００３８】
袋体２６Ｂの素材としては、適宜選択することができ、少なくとも一部が不織布、孔開きフィルム等の体液透過性のものが使用される。特に、熱可塑性合成繊維を含む坪量１５〜２０ｇ／ｍ2程度の液透過性親水性不織布（公知の、スパンボンド不織布、カードウエブを接着した不織布、メルトブローン不織布、それらの混成不織布等）や、合成パルプ（三井石油化学社製のＳＷＰなど）を含む坪量１５〜２０ｇ／ｍ2程度のティッシュペーパーなどが好ましく使用できる。なお、袋体２６Ｂは、収縮性材２７と一体化され、収縮性材２７の収縮時には収縮性材２７との接合部位に１０〜２０Ｎ程度の力がかかるので、それに耐えることができる程度の湿潤強度を有するのが望ましい。
【００３９】
高吸収性ポリマー２６Ａは、この種の使い捨て吸収性物品において用いられる、自重のたとえば２０倍以上の体液を吸収して保持するものを使用できる。この例として、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などを挙げることができる。
【００４０】
高吸収性ポリマー２６Ａの吸収特性としては１０秒間で１０倍以上吸収し膨潤するものが望ましい。高吸収性ポリマー２６Ａの形状としては、現在一般的な粉粒体状のもののほか、これに替えて若しくはこれとともに繊維状のものも用いることができる。繊維状高吸収性ポリマーは紡糸等により糸状または紐状となして使用することもできる。
【００４１】
高吸収性ポリマー２６Ａの袋体２６Ｂへの配設量は、当該吸収性物品の吸収量の設定により決定される。本実施形態の場合、袋体内部に高吸収性ポリマー２６Ａを多量に詰めることもできるが、体液吸収により膨潤したとき当該部位において高吸収性ポリマー相互が密着し、局所的なゲルブロッキングが発生するおそれがある。これが発生すると他の部位の高吸収性ポリマーへの体液の濡れ広がりが阻害され、吸収速度が低下する。したがってこれを防止するために、袋状担体を平坦に潰した状態の内空部分の面積５〜２０ｃｍ2あたり高吸収性ポリマーの量が０．０１〜０．１ｇとなるようにして、袋状担体内に空隙を形成し、高吸収性ポリマーの膨潤後の容積を袋状担体内に予め確保しておくのが好ましい。
【００４２】
本発明の収縮性材２７としては、ポリビニルアルコール系長繊維を複数本引き揃えてなる収縮糸や、セルロース系短繊維を紡績し、これをカルボキシメチル化した後に強撚してなる収縮糸を好適に使用できる。具体的には、特公平６−１０２０６８号公報、特許第２６５６２４５号公報に開示されているものや、市販のものとしては、株式会社ニチビの商品名「ソルブロン」を用いることができ、太さは５００〜１６００ｄｔｅｘのものが好適である。収縮性材２７としては、横断面円形や四角形の糸状のものや、又はシート状、フィルム状若しくは網状のものなど、あらゆる形状のものを用いることができる。収縮性材２７としては、フィラメント状や紡績糸であることもできる。
【００４３】
特徴的には、本発明に係る吸収材２５では、図４および図５に示すように収縮性材２７と体液吸収性材２６の袋体２６Ｂとは、少なくとも長手方向の収縮範囲の両端部（本実施形態の場合、吸収材２５の固定部位３０の排泄部位Ｚ側における長手方向両端部である）において収縮性材２７の収縮力よりも強い接着力をもって相互に接着固定される。図中には、この接着部をなす接着剤は符号２８ｅにより示されている。かくして吸収材２５に一体化された収縮性材２７が体液との接触により収縮することで、吸収材２５が収縮される。吸収材２５の効率良い移動を達成するためには、収縮性材は１本あたり１０Ｎ以上の体液吸収時収縮力を有しているのが好ましい。
【００４４】
この接着剤２８ｅとしては、人工尿で湿潤した後３０分経過した時の接着力が１０Ｎ、より好適には２０Ｎよりも強いものが好適に使用される。また特に、収縮性材２７が体液を吸収し膨潤する繊維集合材である場合には、繊維間に浸透する接着剤が好適である。具体的には、使用時の粘度が５００ｃｐ以下である液状接着剤、東亜合成（株）社製の商品名アロンアルファ等の化学反応型接着剤が特に好適であるが、低粘度（２０００ｃｐ以下）熱可塑性接着剤も好適に使用できる。
【００４５】
収縮性材２７と体液吸収性材２６との一体性を高めるために、中間部においても長手方向に間欠的に接着剤２８ｃ，２８ｃ…により固定することができる。この中間部の接着剤２８ｃに関して、より好ましい形態では、吸収材２５の体液接触部位において収縮性材２７と体液吸収性材２６とが解離するように接着される。このために、体液との接触により接着力が弱まるような接着剤、例えばポリビニルアルコール、ポリアルキレンオキサイドなどを主成分とする水分散型ホットメルト接着剤や、デンプン糊、カルボキシメチルセルロース等の水溶性接着剤を用いることができる。この場合、収縮性材２７と体液吸収性材２６との接着強度が体液接触時に対して体液非接触時が２倍以上となるように、接着剤の選択、接着面積・パターン（スパイラル状、直線状、曲線状等の各種線状のほか、面状、点状等）の選択等を行うのが望ましい。かくして、接着部分２８ｃが体液と接触したとき、当該体液接触部位において収縮性材２７と体液吸収性材２６とが解離するため、収縮性材２７の体液接触部位は体液吸収性材２６による拘束を受けずに自由に収縮できる。またこの際、収縮性材２７の体液非接触部位は体液吸収性材２６と解離しないので、収縮性材２７の収縮に伴う体液吸収性材２６の収縮もなされる。よって、体液吸収性材２６の効率的な収縮が可能となる。同様の機能を発揮させるために、収縮性材２７と体液吸収性材２６との接着力を、体液との接触とは関係なく当初から弱いものとしておき、体液吸収性材２６の膨張力によって解除されるように構成することも可能である。
【００４６】
かくして構成された吸収材２５では、高吸収性ポリマー２６Ａが袋体２６Ｂ内に封入されているため、収縮時等においてポリマー２６Ａが担体から脱落することがなく、また一箇所により多くのポリマーを保持させることができるようになる。特に本実施形態のように、隔室に分けて高吸収性ポリマーを封入すると、袋体内におけるポリマーの偏在を防止できる。
【００４７】
また、かくして構成された紙おむつにおいては、図７および図８に示すように、尿等の体液が排泄部位Ｚに排出され、その体液が領域Ｙまで拡散したとすると、その体液と接触した吸収材２５，２５…はそれぞれ収縮する。この際、吸収材２５の一端部３０が固定されていると、図７に示すように固定部３０に設けた吸収材２５，２５…が収縮する結果、体液排出部位Ｚに対して、吸収材２５における先に体液を吸収した部位が逃げるようになり、これに代わって吸収材２５の新たな部位が位置するようになる。つまり体液排出部位Ｚに対して、吸収材２５の吸収部が体液の排出に伴なって更新され、位置変化する。したがって、吸収材２５全体は有効的に利用され、全体としてみれば吸収容量が著しく向上されるがその割には薄型で済むことになる。よって、この本発明を適用したおむつは、長時間の着用にも耐え得るものである。
【００４８】
そして、このときの吸収材２５の収縮は、収縮性材２７が接着部２８ｅ，２８ｅ間において収縮することによるものであり、その収縮力は図中に矢印で示すように接着部２８ｅ，２８ｅ…に作用する（長手方向一方側のものと他方側のものの両方に作用する）。しかし、本発明ではこの接着固定部２８ｅ，２８ｅ…の接着力は収縮性材２７の収縮力よりも強いため、当該接着が解除されることは実質的にはありえない。よって、確実に吸収材２５を収縮させ移動・更新させることができる。また収縮性材２７が親水性繊維集合材であり、体液を吸収し膨潤するとしても、人工尿で湿潤した後３０分経過した時の接着力が収縮性材の収縮力よりも強く、繊維間に良好に浸透する接着剤を用いることで、接着部２８ｅ，２８ｅ…から収縮性材２７がすっぽり抜けてしまうといった事態を回避できる。
【００４９】
なお、本実施形態のように吸収材２５，２５…の収縮移動量が異なる場合であっても、収縮性材２７が同じ収縮力を発揮するものである限り、収縮力が作用する時間が異なるだけで収縮力が異なることはない。
【００５０】
他方、図８に示すように、本実施形態では、主に吸収材２５の移動スペース確保のために、体液吸収性部１内、具体的には表面層２と防漏層３との間に、物品長手方向に沿って吸収材２５と同程度延在する壁状部材２９を、吸収材２５幅よりも広い間隔をおいて吸収材２５の数よりも一本多く設け、これらの壁状部材２９，２９間に吸収材２５をそれぞれ配置している。しかし、本発明ではかかる壁状部材２９，２９…を省略することももちろん可能である。
【００５１】
吸収材２５の移動スペース確保の場合には、壁状部材２９を体液吸収性部１内にホットメルト接着やヒートシール接着等を用いて固定するほうが望ましいが、そうでない場合には、固定せず単に載せ置くようにしたりすることもできる。
【００５２】
壁状部材２９は、単なる繊維集合体やスポンジ体であっても良いが、吸収材２５から収縮性材２７を省略した形態、すなわち体液透過性シートからなる密閉袋体内に体液吸収性材料を封入して形成したものを好適に使用することができる。体液吸収性材料としては、吸収性物品においても公知のもの、例えば高吸収性ポリマー、セルローススポンジ、海綿又はこれらの混合物などを用いることができる。壁状部材２９の形状は適宜定めることができるが、それらの間に吸収材２５を配置することを考慮すると、図示のように細長で厚さの薄い形状が好ましい。壁状部材２９は図示のように倒れた状態で設けることができる。
【００５３】
他の構成は、変形例も含めて前述の吸収材２５と同様であるため、敢えて説明を省略する。
【００５４】
かくして壁状部材２９，２９間に吸収材２５が配置されていると、これら壁状部材２９，２９により身体の肌に面する側からの圧力が支えられ、それらの間に吸収材２５の収縮スペース及び体液の流通チャンネルが確保され、着用に際し、被着体により吸収材２５側に及ぼされる体圧が高くても、吸収材２５の収縮スペースが確実に確保され、吸収材２５の確実且つ効率良い更新、ならびに体液の効率的な吸収が可能となる。
【００５５】
さらに、壁状部材２９が、体液吸収性材料を袋体内に封入した形態を有していると、体液吸収性材料によって付随的な体液吸収がなされ、製品幅方向への濡れ拡がりが抑えられ、製品長手方向への濡れ拡がりが助長される。よって、使い捨ておむつや生理用ナプキンにおいて従来から問題視されてきた所謂横漏れも効果的に防止される。
【００５６】
さらに壁状部材２９の袋体に、体液との接触により解除される区画を設けた場合、壁状部材２９内の体液吸収性材料が体液を吸収して膨張したとき、同時に体液との接触により区画が解除され、隔室の形状が自然に安定な形状に変化できるため、壁状部材２９が横倒しになったり局所的に膨出したりして吸収材２５の収縮スペースが無くなるといったことが発生しにくく、壁状部材２９本来の機能が体液吸収によって阻害されることなく、常に確実に発揮されるようになる。
【００５７】
（その他）
以上、各種の形態について述べたが、本発明の範囲内において、従来の技術の項で述べた、特願２００１−２６９１４号、特願２００１−１４８１３１号、特願２００１−３３１５６３号、特願２００１−３３１５６４号、特願２００１−３１２７６５号、特願２００１−２２６５０７号、特願２００１−２４１９１２号、特願２００２−２６４４０号に開示された構成を適宜選択して採用できる。
【００５８】
また、本発明における排泄部位Ｚは、排泄器官の位置に応じて定まるものである。排泄部位Ｚは、物品の長手方向中央かつ幅方向中央の直径１〜５ｃｍ程度の円形範囲または物品前後方向を長軸とする楕円形範囲とすることができる。また、排泄部位Ｚは、男性用、女性用、幼児用、成人用等の種別に応じて適宜定めることができる。
【００５９】
また、本発明における吸収材の収縮範囲は適宜設定できるものであり、吸収材の長手方向全体としたり、その一部としたりすることができるが、少なくとも排泄部位Ｚは含むようにするのが好ましい。
【００６０】
さらに、現在市販の紙おむつでは、綿状パルプ（フラッフパルプ）を主体とし、ある程度の剛性を有する（半剛性の）長方形の吸収コアをクレープ紙で包むなどして形成した非収縮吸収材が、体液吸収性部内に備え付けられている。本発明では、この非収縮吸収材とともに前述の収縮移動吸収材２５を設けることができ、この場合収縮移動する吸収材２５は、非収縮吸収材の内外の適宜の位置、具体的には、表面層とクレープ紙との間、クレープ紙と吸収コアとの間、吸収コアの内部、クレープ紙と防漏層との間など、適宜の位置に配置することができる（図示せず）。
【００６１】
【発明の効果】
以上のとおり本発明によれば、収縮性材が吸収材から分離せず、吸収材の移動・更新が確実に行われるようになる。
【図面の簡単な説明】
【図１】
本発明に係る使い捨て紙おむつ例の展開状態における表面層側平面図である。
【図２】
図１のII−II断面図である。
【図３】
図１のIII−III断面図である。
【図４】
吸収材例の要部破断平面図である。
【図５】
吸収材の要部斜視図である。
【図６】
吸収材の平面配置を示す説明図である。
【図７】
吸収材の収縮状態を示す説明図である。
【図８】
要部縦断面図である。
【符号の説明】
１…体液吸収性部、２…表面層、３…防漏層、２５…吸収材、２８ｅ，２８ｃ…接着部。
【手続補正２】
【補正対象書類名】図面
【補正対象項目名】図７
【補正方法】変更
【補正の内容】
【図７】
2004057386.tif 000001